【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
第１のデバイスのタイミングを、前記第１のデバイスと通信している第２のデバイスと同期させるための方法であって、
前記第１のデバイスが、タイムスタンプリフレッシュ間隔が満了したときに前記第２のデバイスに関連するチャネルに移動することと、
前記第１のデバイスが、前記タイムスタンプリフレッシュ間隔が満了したときに前記第１のデバイスから前記第２のデバイスにタイムスタンプ要求フレームを送信することと、
前記第１のデバイスが、タイムスタンプ応答フレームを受信することと、前記タイムスタンプ応答フレームは、前記第２のデバイスの内部クロックを表す時間値を含む、
前記第１のデバイスが、前記タイムスタンプ応答フレームにおける前記時間値に基づいて前記第１のデバイスのクロックを更新することと、
前記第１のデバイスが、前記タイムスタンプ応答フレームを受信した後に元のチャネルに移動することと、
前記第１のデバイスが、新しいタイムスタンプリフレッシュ間隔を選択することと
を備える、方法。
【請求項２】
前記新しいタイムスタンプリフレッシュ間隔を前記選択することは、前記新しいタイムスタンプリフレッシュ間隔をランダムに選択することを備え、ここにおいて、前記新しいタイムスタンプリフレッシュ間隔は一様分布または指数分布のうちの１つに基づく、請求項１に記載の方法。
【請求項３】
前記第１のデバイスおよび前記第２のデバイスはワイヤレスアクセスポイントを備える、請求項１に記載の方法。
【請求項４】
前記タイムスタンプ応答フレームを前記受信することは、タイムスタンプの開始または終了を含むシンボルの開始または終了において、あるいは前記タイムスタンプ応答フレームの開始または終了において前記第２のデバイスの前記内部クロックの前記時間値を含むフレームを受信することを備える、請求項１に記載の方法。
【請求項５】
前記タイムスタンプ要求フレームは、前記タイムスタンプ応答フレームを送信するための帯域幅を指定する、請求項１に記載の方法。
【請求項６】
前記タイムスタンプ応答フレームを受信した後に肯定応答フレームを送信することをさらに備える、請求項１に記載の方法。
【請求項７】
前記肯定応答フレームを前記送信することは、前記タイムスタンプ応答フレームを受信した後、ショートフレーム間スペース（ＳＩＦＳ）してから前記肯定応答フレームを送信することを備える、請求項６に記載の方法。
【請求項８】
第１のデバイスのタイミングを、前記第１のデバイスと通信している第２のデバイスと同期させるための方法であって、
前記第１のデバイスが、タイムスタンプリフレッシュ間隔が満了したときに前記第２のデバイスに関連するチャネルに移動することと、
前記第１のデバイスが、前記タイムスタンプリフレッシュ間隔が満了したときに前記第１のデバイスから前記第２のデバイスにタイムスタンプ指示フレームを送信することと、前記タイムスタンプ指示フレームは、前記第１のデバイスの内部クロックを表す時間値を含む、
前記第１のデバイスが、前記第２のデバイスから肯定応答フレームを受信することと、
前記第１のデバイスが、前記肯定応答フレームを受信した後に元のチャネルに移動することと、
前記第１のデバイスが、新しいタイムスタンプリフレッシュ間隔を選択することと
を備える、方法。
【請求項９】
前記新しいタイムスタンプリフレッシュ間隔を前記選択することは、前記新しいタイムスタンプリフレッシュ間隔をランダムに選択することを備え、ここにおいて、前記新しいタイムスタンプリフレッシュ間隔は一様分布または指数分布のうちの１つに基づく、請求項８に記載の方法。
【請求項１０】
前記第１のデバイスおよび前記第２のデバイスはワイヤレスアクセスポイントを備える、請求項８に記載の方法。
【請求項１１】
ワイヤレスアクセスポイントであって、
メモリと、
前記メモリに結合され、および
タイムスタンプリフレッシュ間隔がいつ満了したかを決定することと、
前記タイムスタンプリフレッシュ間隔が満了したという前記決定に基づいて異なるワイヤレスアクセスポイントに関連するチャネルに移動することと、
前記タイムスタンプリフレッシュ間隔が満了したときにタイムスタンプ要求フレームを送信することと、
前記送信されたタイムスタンプ要求フレームに応答して、異なるワイヤレスアクセスポイントの内部クロックを表す時間値を含むタイムスタンプ応答フレームを受信することと、
前記時間値を記憶することと、
前記タイムスタンプ応答フレームにおける前記時間値に基づいてローカルクロックを更新することと、
前記タイムスタンプ応答フレームを受信した後に元のチャネルに移動することと、
新しいタイムスタンプリフレッシュ間隔を選択することと
を行うように構成された少なくとも１つのプロセッサと
を備える、ワイヤレスアクセスポイント。
【請求項１２】
前記１つまたは複数のプロセッサは、前記新しいタイムスタンプリフレッシュ間隔をランダムに選択するようにさらに構成され、ここにおいて、前記新しいタイムスタンプリフレッシュ間隔は一様分布または指数分布のうちの１つに基づく、請求項１１に記載のワイヤレスアクセスポイント。
【請求項１３】
前記タイムスタンプ要求フレームは、前記タイムスタンプ応答フレームを送るための帯域幅を指定する、請求項１１に記載のワイヤレスアクセスポイント。
【請求項１４】
前記少なくとも１つのプロセッサは、タイムスタンプの開始または終了を含むシンボルの開始または終了において、あるいは前記タイムスタンプ応答フレームの開始または終了において前記異なるワイヤレスアクセスポイントの前記内部クロックの前記時間値を含むフレームを受信することによって前記タイムスタンプ応答フレームを受信するようにさらに構成された、請求項１１に記載のワイヤレスアクセスポイント。
【請求項１５】
前記少なくとも１つのプロセッサは、前記タイムスタンプ応答フレームを受信した後に肯定応答フレームを送信するようにさらに構成された、請求項１１に記載のワイヤレスアクセスポイント。
【請求項１６】
前記少なくとも１つのプロセッサは、前記タイムスタンプ応答フレームを受信した後、ショートフレーム間スペース（ＳＩＦＳ）してから前記肯定応答フレームを送信することによって前記肯定応答フレームを送信するように構成された、請求項１５に記載のワイヤレスアクセスポイント。
【請求項１７】
ワイヤレスアクセスポイントであって、
メモリと、
前記メモリに結合され、および
タイムスタンプリフレッシュ間隔がいつ満了したかを決定することと、
前記タイムスタンプリフレッシュ間隔が満了したという前記決定に基づいて異なるワイヤレスアクセスポイントに関連するチャネルに移動することと、
前記タイムスタンプリフレッシュ間隔が満了したときに、前記異なるワイヤレスアクセスポイントにタイムスタンプ指示フレームを送信することと、前記タイムスタンプ指示フレームは、前記ワイヤレスアクセスポイントの内部クロックを表す時間値を含む、
前記異なるワイヤレスアクセスポイントから肯定応答フレームを受信することと、
前記肯定応答フレームを受信した後に元のチャネルに移動することと、
新しいタイムスタンプリフレッシュ間隔を選択することと
を行うように構成された少なくとも１つのプロセッサと
を備える、ワイヤレスアクセスポイント。
【請求項１８】
前記１つまたは複数のプロセッサは、前記新しいタイムスタンプリフレッシュ間隔をランダムに選択するようにさらに構成され、ここにおいて、前記新しいタイムスタンプリフレッシュ間隔が一様分布または指数分布のうちの１つに基づく、請求項１７に記載のワイヤレスアクセスポイント。
【請求項１９】
ワイヤレス通信のための第１のデバイスであって、
メモリと、
前記メモリに結合され、および
タイムスタンプリフレッシュ間隔が満了したときに第２のデバイスに関連するチャネルに移動することと、
前記タイムスタンプリフレッシュ間隔が満了したときに前記第１のデバイスから前記第２のデバイスにタイムスタンプ要求フレームを送信することと、
前記第１のデバイスが、タイムスタンプ応答フレームを受信することと、前記タイムスタンプ応答フレームは、前記第２のデバイスの内部クロックを表す時間値を含む、
前記タイムスタンプ応答フレームにおける前記時間値に基づいて前記第１のデバイスのクロックを更新することと、
前記タイムスタンプ応答フレームを受信した後に元のチャネルに移動することと、
新しいタイムスタンプリフレッシュ間隔を選択することと
を行うように構成された少なくとも１つのプロセッサと
を備える、第１のデバイス。
【請求項２０】
ワイヤレス通信のための第１のデバイスであって、
メモリと、
前記メモリに結合され、および
タイムスタンプリフレッシュ間隔が満了したときに第２のデバイスに関連するチャネルに移動することと、
前記タイムスタンプリフレッシュ間隔が満了したときに前記第１のデバイスから前記第２のデバイスにタイムスタンプ指示フレームを送信することと、前記タイムスタンプ指示フレームは、前記第１のデバイスの内部クロックを表す時間値を含む、
前記第１のデバイスが、前記第２のデバイスから肯定応答フレームを受信することと、
前記肯定応答フレームを受信した後に元のチャネルに移動することと、
新しいタイムスタンプリフレッシュ間隔を選択することと
を行うように構成された少なくとも１つのプロセッサと
を備える、第１のデバイス。